(57)【特許請求の範囲】
【請求項１】
防水シートロールの携帯型保持具であって、支柱と、前記支柱の両端部に固定された基盤と、前記基盤間で前記防水シートロールを軸支可能な片持ち軸を両基盤上に有し、少なくとも一方の片持ち軸を、前記支柱の軸方向に動かすことによって、前記防水シートロールの着脱を行なうことを特徴とする、防水シートロールの携帯型保持具。
【請求項２】
防水シートロールを側面から常時押圧し、前記防水シートロールとの接触部が、半球体形状に形成された弾性体を有する、請求項１記載の防水シートロールの携帯型保持具。
【請求項３】
前記両基盤上に、各々２箇所以上のフックを有することを特徴とする、請求項１または２記載の防水シートロールの携帯型保持具。
【請求項４】
前記フックの一部に、鍵穴形状を有することを特徴とする、請求項３記載の防水シートロールの携帯型保持具。
【発明の詳細な説明】
【技術分野】
【０００１】  本発明は、建築体に防水シートを貼り付ける際に用いる、防水シートロールの携帯型保持具に関するものである。
【背景技術】
【０００２】  一般的な木造建築体の工法においては、基礎上に根太や床面を横敷し、その上に柱を立て、柱上部間に梁を架設するなどして家屋の骨組みを形成した後、壁面施工前に、壁面全体に防水シートを貼り付けることで、壁の水漏れ防止を図っている。【０００３】  防水シートは、通常ロール状となった防水シートロールとして提供されており、これを建築体に貼り付ける際には、施工者が防水シートロールをロール軸が垂直になるように片手で保持しながら、防水シートが延出する方向に転がし、もう片方の手で、針打ち機でピンを打ちつけ、柱や梁に防水シートを貼っていく。【０００４】  しかし上記した方法では、不安定な姿勢での作業となるため、確実な施工をするのは難しい。また防水シートロールは片手で保持するには重いため、施工者の体力的な問題から、一度に施工出来る範囲が限られ、その都度、防水シートを一旦切断してやり直す必要があり、作業効率は非常に悪い。【０００５】  そのため、場合によっては、施工者の一人が防水シートロールを保持し、他の施工者が防水シートを引き出して、貼り付けていく方法もあるが、一つの作業を二人の施工者で行なうことは、言うまでもなく非効率的である。【０００６】  そこで特開２０００−８７５５８号公報や、特開２００５−８２２６０号公報では、防水シートロールを任意の位置に設置して、防水シートを引き出すことが出来る、防水シートロールの保持具を提案しているが、いずれの実施例も、防水シートロールの補充時には、一度ユニットの一部を分解しなければならない。実際の防水シート施工は、高所の狭い足場上で行なわれる場合が殆どであり、このような場所での防水シートロールの補充作業は、分解した部品を落とすなどの可能性が高く、面倒で神経を使うものである。【０００７】  また特開２００５−８２２６０号公報に示された実施例は、芯棒が回転しない構造であるが、防水シートロールの多くは芯管が無く、芯穴部の形状が不安定であるため、このようなタイプの防水シートロールを本実施例に装着した場合には、芯棒に芯穴付近の防水シートが絡みつき、回転抵抗が過大となり、場合によっては作業の途中で防水シートを引き出せなくなる事態に陥る可能性がある。【０００８】  更にいずれの実施例も、防水シートロールのたわみが発生しやすく、施工を進めるにつれ、次第に作業がしづらくなる。（特開２０００−８７５５８号公報の実施例は、防水シート引き出しの際に一定の抵抗力を発生させるものであり、たわみを防止するものではない。）【０００９】  一方で、特開２０００−３１４２３２号公報に示された実施例は、防水シートロールの芯穴を支える軸を下方の一箇所のみとし、上方をリングで抱持する方式にしたことで、ユニットを分解せずとも、防水シートロールの補充が可能な構造である。【００１０】  しかし防水シートロールには、巻き方向が逆であるものがあり、そのような防水シートロールを本実施例で使用する場合には、防水シートロールを上下入れ替えて装着する必要があるが、防水シートは施工方向（裏表・上下）が定められているものが殆どであるため、上記した方法では、使用出来ない場合が多い。【００１１】  また本実施例では、施工を進めるうちに、防水シートロール���次第に細くなり、リングの抱持力が弱まり、結局は上述した実施例と同様、防水シートロールのたわみが避けられない構造である。【００１２】  かように、防水シートの施工は難しく、非効率的であり、施工者に多大な負担を強いるものであった。
【先行技術文献】
【特許文献】
【００１３】
【特許文献１】  特開２０００−８７５５８号  公報
【特許文献２】  特開２００５−８２２６０号  公報
【特許文献３】  特開２０００−３１４２３２号  公報
【発明の概要】
【発明が解決しようとする課題】
【００１４】  以上に述べた従来式の防水シートロールの携帯型保持具は、防水シートロールの補充時にはユニットの一部を分解する必要があるが、実際の防水シート施工現場となる、高所の狭い足場上では、分解した部品を落とすなどの可能性が高く、面倒で神経を使うものである。また防水シートロールのたわみが発生しやすく、施工が進むにつれ、次第に作業がしづらくなる。
本発明の目的は、上記課題を克服した、使い勝手の良い、防水シートロールの携帯型保持具を提供することである。
【課題を解決するための手段】
【００１５】  上記課題は、支柱と、支柱の両端に固定された基盤と、基盤間で防水シートロールを軸支可能な片持ち軸を両基盤上に有し、少なくとも一方の片持ち軸が、防水シートロールの軸方向に移動自在であり、且つ２本の片持ち軸によって軸支される芯棒を有し、防水シートロールを側面から常時押圧する弾性体を有する防水シートロールの携帯型保持具を提供することで解決される。
【発明の効果】
【００１６】  上記構造による防水シートロールの携帯型保持具では、高所の狭い足場上においても、ユニットを分解することなく、容易に短時間で防水シートロールを補充可能であるため、効率良く、快適な施工が可能となる。
更に防水シートロールを側面から押圧する弾性体が、防水シートロールのたわみを常時防止するため、防水シートロールを使い終わるまで、良好な作業性を持続できる。
【図面の簡単な説明】
【００１７】
【図１】本発明による防水シートロールの携帯型保持具のイメージ図
【図２】本発明による防水シートロールの携帯型保持具の一部断面図
【図３】本発明による防水シートロールの携帯型保持具の一使用状況を示すイメージ図
【図４】本発明による防水シートロールの携帯型保持具の一操作状況を示すイメージ図および一部断面図
【図５】本発明による防水シートロールの携帯型保持具の一使用状況を示す一部断面図
【図６】本発明による防水シートロールの携帯型保持具の一使用状況を示すイメージ図
【図７】本発明による防水シートロールの携帯型保持具の一使用状況を示すイメージ図
【発明を実施するための形態】
【００１８】  本発明による防水シートロールの携帯型保持具（以下、保持具という。）の構造を説明する。
【００１９】  本発明による保持具は、図１に示す通り、支柱１の上端部にジョイント２が止めネジ３によって固定されており、ジョイント２の上面部には、基盤４がネジ５で固定されている。
【００２０】  基盤４上には図２に示す通り、軸穴６が設けられており、軸穴６には、基盤４の下方面側から、スプリング７、ディスク８、ワッシャ９を貫通する形で片持ち軸１０が挿通されており、基盤４の上方面側からは、シートワッシャ１１を通して、ツマミネジ１２が、片持ち軸１０のメネジ穴１３に締結されている。  なお片持ち軸１０の下方先端には段差１４が設けられているため、スプリング７が抜け落ちることはなく、スプリング７の付勢力で、ワッシャ９およびディスク８は常に基盤４の下方面に接触した状態で設置されている。
【００２１】  ジョイント２の側面には、板バネ１５がネジ１６で固定されている。このとき板バネ１５の長手方向の中心線と、防水シートロール１７の軸と、支柱１の軸は、同一面に存在するように配置されている。また板バネ１５の先端部には、防水シートロール１７側に突出する方向に、半球体形状１８が形成されている。
【００２２】  基盤４上には、三本のフック１９が一体成型されている。このときフック１９の数や位置は、図示した通りの状態でなくても構わない。
【００２３】  上記構成は、支柱１の下端面側においても等しく構成されており、上下に配置された片持ち軸１０が、防水シートロール１７の芯穴２０に挿通された軸管２１の両端を軸支している。
【００２４】  なお防水シートロール１７の全高は規格化されており、ほぼ均一であるが、例外的に特殊な全高を持つ防水シートロールを組み込む場合は、止めネジ３を緩め、ジョイント２を動かし、基盤４の位置を微調整すればよい。
【００２５】  次に本発明による保持具を用いて、防水シート貼りを行なう時の状況を説明する。
【００２６】  施工者は、家屋の骨組みを形成した後、図３に示すように、防水シート２３を貼り始める箇所の近隣にある足場部材２２にフック１９を引掛けて、防水シートロール１７を保持具ごと掛止する。本発明による保持具では、フック１９は三方向に設けられているので、体勢や、引掛ける位置の状況に応じて、最も使いやすい位置のフックを使用すればよい。
【００２７】  保持具を掛止させた後、施工者は防水シート２３の端部を引張りながら、壁沿いに一定距離移動するが、このとき防水シートロール１７の芯穴２０に挿通された軸管２１や、上下面を保持するディスク８は回転可能な構造であるため、防水シートロール１７は保持具上で滑らかに回転し、施工者の移動に伴って、防水シート２３が引き出されることになる。
【００２８】  防水シート２３を一定量引き出した後、施工者は針打ち機２４を用いて、防水シート２３をピン２５で柱２６に貼り付けていく。引き出した分の防水シート２３の貼り付けが完了したら、そこで防水シート２３と防水シートロール１７とを切り離し、他の施工場所へ移動する。
【００２９】  なお上記では、保持具を設置してから防水シート２３を引き出して貼っていく方法であったが、先に防水シート２３の端面を固定してから、支柱１をハンドルとして保持具を掴持した状態で、壁面に沿って移動し、適切な箇所の足場部材２２に保持具を掛止させた後、その間に引き出された防水シート２３を柱２６に貼っていく方法もある。
【００３０】  施工を続けるうちに、防水シートロール１７は次第に細くなっていくが、ジョイント２に設置された板バネ１５が、防水シートロール１７の側面を常時押圧するため、防水シートロール１７はたわみにくく、良好な作業性を持続可能である。
【００３１】  また、板バネ１５の先端部の、防水シートロール１７との接触部には、半球体形状１８が形成されているため、防水シート２３は板バネ１５のエッジ部に引っ掛かることなく、円滑に引き出しが可能である。
【００３２】  やがて防水シートロール１７を完全に使い終え、新しいものを補充する場合には、図４に示すように、上方側のツマミネジ１２を引き上げ、軸管２１と片持ち軸１０との係合関係を解除し、その状態で軸管２１を支柱１の反対側に倒し、上方から新しい防水シートロール１７を軸管２１に挿通させた後、軸管２１を元の位置に戻し、ツマミネジ１２を離して、スプリング７の付勢力で片持ち軸１０を再び軸管２１内に挿通させればよい。
【００３３】  なお、片持ち軸１０と軸穴６間、および軸管２１内部との間には一定の隙間が確保されており、この隙間により片持ち軸１０は一定の範囲において首振り運動が可能であるため、軸管２１は、下方側の片持ち軸１０と係合した状態のまま、防水シートロール１７を挿通させるのに十分な角度まで傾けることが出来るようになっている。
【００３４】  上記作業では、ユニットから外す部品は無く、特別な工具も使用しないため、施工者は容易に、短時間で防水シートロール１７を補充出来る。
【００３５】  ところで、防水シートロールには、芯穴２０部に別途芯管２７が組み込まれたものがある。
【００３６】  本発明による保持具で、このタイプの防水シートロールを使用する場合は、軸管２１を用いず、図５に示すように、芯管２７を上下の片持ち軸１０で、直接軸支してもよい。
【００３７】  この場合の防水シートロールの補充は、上方側のツマミネジ１２を引き上げ、古い芯管２７を外し、新しい防水シートロールの芯管２７の下端側を下方側の片持ち軸１０に挿通させ、防水シートロールを垂直に立てた後、上方側のツマミネジ１２を離して、スプリング７の付勢力で片持ち軸１０を芯管２７内に挿通させればよく、上述した軸管２１を用いる方法と比べ、防水シートロールを、より小さな動作で補充可能であるため、足場上など狭くて不安定な場所では特に有効である。
【００３８】  次に、本発明による保持具の、別の使用例を説明する。
【００３９】  本発明による保持具は、上下対称に、複数のフック１９を有しているので、図６に示すように、防水シートロール１７の回転が自在な状態のまま、地面に水平に置くことが出来る。この状態で防水シート２３を上方に引き出せば、縦方向に防水シート貼りが可能となり、特にビルなど高層建築体に対しては有効な方法である。
【００４０】  またこれまで、本発明による保持具の設置はフック１９を足場部材２２に引掛ける方法で説明してきたが、施工場所に足場が無く、どうしても保持具を設置出来ない場合には、図７に示すように、予め柱に釘２８を打ち、フック１９上に穿設された鍵穴２９に釘２８を引掛ければ、足場部材２２に引掛ける方法と同様に、保持具を掛止することが出来る。
【符号の説明】
【００４１】  １  支柱
２  ジョイント
３  止めネジ
４  基盤
５  ネジ
６  軸穴
７  スプリング
８  ディスク
９  ワッシャ
１０  片持ち軸
１１  シートワッシャ
１２  ツマミネジ
１３  メネジ穴
１４  段差
１５  板バネ
１６  ネジ
１７  防水シートロール
１８  半球体形状
１９  フック
２０  芯穴
２１  軸管
２２  足場部材
２３  防水シート
２４  針打ち機
２５  ピン
２６  柱
２７  芯管
２８  釘
２９  鍵穴
【要約】
【課題】  従来式の防水シートロールの携帯型保持具は、防水シートロールの補充時にはユニットの一部を分解する必要があるが、実際の防水シート施工現場となる、高所の狭い足場上では、分解した部品を落とす可能性が高く、面倒で神経を使うものである。また防水シートロールのたわみが発生しやすく、施工が進むにつれ、次第に作業がしづらくなる。
【解決手段】  支柱と、支柱の両端部に固定された基盤と、基盤間で防水シートロールを軸支可能な片持ち軸を両基盤上に有し、少なくとも一方の片持ち軸が、防水シートロールの軸方向に移動自在であり、且つ２本の片持ち軸によって軸支される芯棒を有し、防水シートロールを側面から常時押圧する弾性体を有する、防水シートロールの携帯型保持具を提供する。
【選択図】図１【図１】
0005577560.tif 000002
【図２】
0005577560.tif 000003
【図３】
0005577560.tif 000004
【図４】
0005577560.tif 000005
【図５】
0005577560.tif 000006
【図６】
0005577560.tif 000007
【図７】
0005577560.tif 000008